(57)【要約】【課題】  施錠されているドアが不正に解錠されることを防止できる不正解錠防止装置を提供する。【解決手段】  鍵４０のボタン４４が押圧されると、鍵４０から電波が送信される。この電波を受信センサ３４が受信すると、受信センサ３４からモータドライバ３６に電波検出信号が出力される。モータドライバ３６が電波検出信号を入力すると、電動操作に対応する駆動指示がモータ１４に与えられ、モータ１４が回転する。モータ１４が回転すると、モータ１４の駆動力が、ウォームギヤ１６、ウォームホイール１７、ギヤ１８、スパーギヤ２０、扇状スプリング、及びレバー２２を介してキー１２に伝わる。これにより、キー１２がサムターン３０側に移動し、キー１２の切欠き１２Ａがサムターン３０の摘み部３２に係合する。この結果、サムターン３０の回転が阻止される。【選択図】        図２
2005036599.tif 000002
【特許請求の範囲】
【請求項１】
住宅用のドアに取り付けられた施錠装置のサムターンの摘み部に係合可能に配置され、手動操作により前記摘み部に係合して該サムターンの回転を阻止する係合部材と、
前記係合部材に連結され、前記係合部材の手動操作を妨げることなく電動操作で前記係合部材を前記サムターン側に移動させて前記摘み部に係合させる駆動手段と、
前記駆動手段に前記電動操作に対応する駆動指示を与える指示手段と、
を備えたことを特徴とする不正解錠防止装置。
【請求項２】
前記駆動手段は、
モータの駆動力によって回転する駆動軸と、
前記駆動軸に一方の端部が揺動自在に支持され、他方の端部が前記係合部材に連結された揺動アームと、
前記駆動軸に巻き付けられたコイル部と、前記コイル部から延出され前記揺動アームに係合可能な一対の延長アーム部とを備え、前記駆動軸と共に回転して該駆動軸の回転力を前記延長アーム部から前記揺動アームに伝達すると共に、前記揺動アームが所定角度揺動した場合には前記駆動軸に対して相対回転して該駆動軸の回転力の前記揺動アームへの伝達を阻止する捩じりコイルスプリングと、
を備えたことを特徴とする請求項１記載の不正解錠防止装置。
【請求項３】
前記指示手段は、
前記駆動指示を行うための電波を送信する電波送信機と、
前記駆動手段に接続され、前記電波を受信すると共に前記受信した電波に基づいて前記駆動手段に前記駆動指示を与える電波受信機と、
を備えたことを特徴とする請求項１又は請求項２記載の不正解錠防止装置。
【請求項４】
前記施錠装置は、前記ドアの施錠及び解錠を行うためのボタン入力部を備えた電動ロック式のものとされ、
前記指示手段は、
前記ボタン入力部に入力された指示に関連付けて前記駆動指示を行う、
ことを特徴とする請求項１又は請求項２記載の不正解錠防止装置。
【請求項５】
少なくとも前記駆動手段を内部に収容するケース部材をさらに備え、
前記ケース部材が前記サムターンの側部に配置された、
ことを特徴とする請求項１乃至請求項４の何れか１項記載の不正解錠防止装置。
【請求項６】
少なくとも前記ケース部材の前記ドア側の部位が金属からなる、
ことを特徴とする請求項１乃至請求項５の何れか1項記載の不正解錠防止装置。
【発明の詳細な説明】
【技術分野】
【０００１】
本発明は、施錠されているドアがいわゆるピッキング等によって不正に解錠されることを防止する不正解錠防止装置に関する。
【背景技術】
【０００２】
サムターン付き施錠装置を設けたドアがある。近年、このようなドアに孔を空け、この孔に治具を挿入してサムターンを回転させることで、ドアを不正に解錠する犯罪（いわゆるピッキング）が横行している。
【０００３】
このような犯罪を防止するために、サムターンを箱状部材で覆うことで、治具でサムターンを回転させることを防止する技術があり、その一例が下記特許文献１に開示されている。
【０００４】
しかしながら、このような技術では、サムターンを単に箱状部材で覆うだけであるため、鍵穴に治具を挿入して、施錠されているドアを不正に解錠する犯罪には対応できないという欠点があった。
【特許文献１】特開２００３−５６２１８号公報
【発明の開示】
【発明が解決しようとする課題】
【０００５】
本発明は、上記問題点に鑑み、施錠されているドアが不正に解錠されることを防止できる不正解錠防止装置を提供することを目的とする。
【課題を解決するための手段】
【０００６】
請求項１に記載の発明は、住宅用のドアに取り付けられた施錠装置のサムターンの摘み部に係合可能に配置され、手動操作により前記摘み部に係合して該サムターンの回転を阻止する係合部材と、前記係合部材に連結され、前記係合部材の手動操作を妨げることなく電動操作で前記係合部材を前記サムターン側に移動させて前記摘み部に係合させる駆動手段と、前記駆動手段に前記電動操作に対応する駆動指示を与える指示手段と、を備えたことを特徴とする。
【０００７】
請求項１に記載の発明によれば、本発明に係る不正解錠防止装置は、住宅用のドアに取り付けられた施錠装置のサムターンに適用される。
【０００８】
このような本発明の不正解錠防止装置では、指示手段によって電動操作に対応する駆動指示が駆動手段に与えられると、駆動手段により電動操作で係合部材がサムターン側に移動してサムターンの摘み部に係合する。この結果、サムターンの回転を阻止する。
【０００９】
係合部材がサムターンの摘み部に係合した状態では、例えば、ドアに孔が空けられこの孔に屋外（室外）側から治具を挿入してサムターンを回転させようとしても、サムターンを回転させることができない。また、上記係合部材がサムターンの摘み部に係合した状態では、例えば、上記施錠装置の鍵穴に治具を挿入して、サムターンを回転させようとしても、サムターンを回転させることができない。従って、本請求項１に係る発明は、施錠されているドアが不正に解錠されることを防止できる。
【００１０】
また、上記駆動手段は係合部材の手動操作を妨げることがない。このため、本請求項１に係る発明では、係合部材が駆動手段に連結していても、手動操作で係合部材をサムターンの摘み部に係合させることができ、施錠されているドアが不正に解錠されることを防止できる。また、電動操作のみならず手動操作によってサムターンの回転を阻止できるため、室内側においては係合部材を直接に操作することが可能であり、装置の操作が煩雑にならずに済む。
【００１１】
またさらに、既存の施錠装置を何ら改造、改良することなく本発明を適用できる。この結果、上記不正解錠による犯罪を防止するために要する費用は、新たな施錠装置そのものを新規購入するために要する費用よりも安価となる。
【００１２】
請求項２に記載の発明は、請求項１記載の発明において、前記駆動手段は、モータの駆動力によって回転する駆動軸と、前記駆動軸に一方の端部が揺動自在に支持され、他方の端部が前記係合部材に連結された揺動アームと、前記駆動軸に巻き付けられたコイル部と、前記コイル部から延出され前記揺動アームに係合可能な一対の延長アーム部とを備え、前記駆動軸と共に回転して該駆動軸の回転力を前記延長アーム部から前記揺動アームに伝達すると共に、前記揺動アームが所定角度揺動した場合には前記駆動軸に対して相対回転して該駆動軸の回転力の前記揺動アームへの伝達を阻止する捩じりコイルスプリングと、を備えたことを特徴とする。
【００１３】
請求項２に記載の発明によれば、捩じりコイルスプリングのコイル部は駆動軸に巻き付けられているので、モータの駆動力によって駆動軸が回転すると、駆動軸と共に捩じりコイルスプリングが回転する。この捩じりコイルスプリングの延長アーム部は揺動アームに係合可能なので、駆動軸の回転力はこの捩じりコイルスプリングの延長アーム部から揺動アームに伝達され、揺動アームが揺動する。この結果、揺動アームに連結された係合部材がサムターン側に移動し、この係合部材がサムターンの摘み部と係合する。
【００１４】
また、揺動アームが所定角度揺動した場合には、捩じりコイルスプリングは駆動軸に対して相対回転して、駆動軸の回転力の揺動アームへの伝達を阻止する。このように、捩じりコイルスプリングがトルクリミッタの役割を果すため、揺動アームが所定角度揺動した際に生じる衝撃を捩じりコイルスプリングが吸収する。
【００１５】
このため、捩じりコイルスプリングは、装置の破損を防止できる。従って、本請求項２に係る発明は、装置の耐久性を向上させることができる。
【００１６】
請求項３に記載の発明は、請求項１又は請求項２記載の発明において、前記指示手段は、前記駆動指示を行うための電波を送信する電波送信機と、前記駆動手段に接続され、前記電波を受信すると共に前記受信した電波に基づいて前記駆動手段に前記駆動指示を与える電波受信機と、を備えたことを特徴とする。
【００１７】
請求項３に記載の発明によれば、駆動手段に駆動指示を与える際には、電波送信機から上記駆動指示を行うための電波が送信される。この電波は、駆動手段に接続された電波受信機によって受信され、この電波に基づいて駆動手段に上記駆動指示が与えられる。この結果、上記電波に基づいて係合部材をサムターンの摘み部に係合させることができる。従って、ドアから離れた場所（例えば、室外）から不正解錠防止装置を操作することができる。
【００１８】
請求項４に記載の発明は、請求項１又は請求項２記載の発明において、前記施錠装置は、前記ドアの施錠及び解錠を行うためのボタン入力部を備えた電動ロック式のものとされ、前記指示手段は、前記ボタン入力部に入力された指示に関連付けて前記駆動指示を行う、ことを特徴とする。
【００１９】
請求項４に記載の発明によれば、施錠装置が上記ドアの施錠及び解錠を行うためのボタン入力部を備えた電動ロック式である場合に、駆動指示がボタン入力部に入力された指示に関連付けられるので、操作者は、ボタン入力部で施錠装置の施錠指示を行うだけで、サムターンの摘み部に係合部材を係合させることができる。
【００２０】
請求項５に記載の発明は、請求項１乃至請求項４の何れか１項記載の発明において、少なくとも前記駆動手段を内部に収容するケース部材をさらに備え、前記ケース部材が前記サムターンの側部に配置された、ことを特徴とする。
【００２１】
請求項５に記載の発明によれば、ドアのサムターンの側部に孔が空けられ、この孔に治具を挿入して上記サムターンを回転させようとする場合に、ケース部材が孔を空ける際の障害となる。この結果、上記不正解錠に対する防犯効果をより一層高めることができる。
【００２２】
請求項６に記載の発明は、請求項１乃至請求項５の何れか1項記載の発明において、少なくとも前記ケース部材の前記ドア側の部位が金属からなる、ことを特徴とする。
【００２３】
請求項６に記載の発明によれば、少なくともケース部材のドア側の部位が金属からなるので、ドアのサムターンの側部に孔を空けて治具を挿入して上記サムターンを回転させようとする場合に、この少なくともケース部材のドア側の部位が孔を空ける際の障害となる。この結果、上記不正解錠に対する防犯効果を極めてより一層高めることができる。
【発明を実施するための最良の形態】
【００２４】
以下、図面を参照して本発明の実施の形態について説明する。
（第１の実施の形態）
図１及び図２には、本発明の第１の実施の形態に係る不正解錠防止装置としてのサムターン固定装置１０の概略が示されている。
【００２５】
サムターン固定装置１０は、略直方体状のケース部材６０を備えており、このケース部材６０の内部には、駆動手段としての駆動部２４が収容されている。
【００２６】
駆動部２４は、モータ１４と、ウォームギヤ１６と、ウォームホイール１７と、ギヤ１８と、駆動手段を構成する揺動アームとしてのレバー２２とを備えている。モータ１４の出力軸には、ウォームギヤ１６が連結されており、さらに、このウォームギヤ１６には、ウォームホイール１７が噛み合っている。これらのウォームギヤ１６とウォームホイール１７では、進み角が大きく設定されているので、ウォーム減速部分でセルフロックすることがない。さらに、ウォームホイール１７には、このウォームホイール１７よりも小径のギヤ１８が一体的に設けられており、ギヤ１８はウォームホイール１７と同軸的に回転する。また、ギヤ１８には、スパーギヤ２０が噛み合っている。これらのウォームギヤ１６、ウォームホイール１７、ギヤ１８、及びスパーギヤ２０は、樹脂で形成されている。
【００２７】
上記スパーギヤ２０の駆動軸２０Ａは、スパーギヤ２０の回転軸位置で円筒状に突出したものとされている。このような駆動軸２０Ａには、扇状スプリング４６が取り付けられている（図３乃至図９を参照。）。図４に示されるように、扇状スプリング４６は、全体的に捩じりコイルスプリングとされており、そのコイル部４６Ｃが駆動軸２０Ａと共に回転できるようにこの駆動軸２０Ａの外周に巻き付けられている。また、図５に示されるように、コイル部４６Ｃから延長された一方の延長アーム部である端部４６Ａは、スパーギヤ２０の左側（矢印Ｙ1方向）でかつ下方（矢印Ｘ1方向）へ向けて延出されており、他方の延長アーム部である端部４６Ｂは、スパーギヤ２０の右側（矢印Ｙ2方向）でかつ下方（矢印Ｘ1方向）へ向けて延出されている。これらの両端部４６Ａ、４６Ｂが互いに接近するように扇状スプリング４６に力を加えると、そのバネ力に抗してコイル部４６Ｃの内径が縮径され、駆動軸２０Ａをより一層締付ける。
【００２８】
駆動軸２０Ａは、スパーギヤ２０の歯側とは反対側の端部でレバー２２の一方の端部を揺動自在に軸支している。レバー２２は、図５において、装置上下方向（矢印Ｘ2方向及び矢印Ｘ1方向）へ向けて長尺方向とされた板状に形成されている。このレバー２２には、スパーギヤ２０へ向けて壁部５２が突出形成されており、扇状スプリング４６の収容部を構成している。壁部５２は、上方（矢印Ｘ2方向）へ向けて収束した略Ｖ字状とされており、その両下端部は扇状スプリング４６の両端部４６Ａ、４６Ｂに対応したスプリング接触部５２Ａ、５２Ｂとされており、駆動軸２０Ａと共に扇状スプリング４６が回転すると、その回転方向によって扇状スプリング４６の端部４６Ａとスプリング接触部５２Ａ、あるいは扇状スプリング４６の端部４６Ｂとスプリング接触部５２Ｂが接触する。さらに、駆動軸２０Ａと共に扇状スプリング４６が回転すると、端部４６Ａがスプリング接触部５２Ａを押圧する、あるいは、端部４６Ｂがスプリング接触部５２Ｂを押圧し、扇状スプリング４６が駆動軸２０Ａの回転力を端部４６Ａ、４６Ｂからレバー２２に伝達する。
【００２９】
また、この壁部５２と扇状スプリング４６との間には隙間が形成されており、端部４６Ａ、４６Ｂとレバー２２とが若干だけ相対回転可能とされている。
【００３０】
またさらに、駆動部２４には、駆動軸２０Ａの下方（矢印Ｘ1方向）で上方へ向けて突出したストッパ５４が形成されている。このストッパ５４は、扇状スプリング４６の両端部４６Ａ、４６Ｂの間に位置しており、駆動軸２０Ａと共に扇状スプリング４６が回転すると、その回転方向によって扇状スプリング４６の端部４６Ａ、あるいは端部４６Ｂがストッパ５４に接触する。これにより、扇状スプリング４６のコイル部４６Ｃの内径が拡径し、コイルスプリング４６は、駆動軸２０Ａに対して相対回転してこの駆動軸２０Ａの回転力のレバー２２への伝達を阻止する。
【００３１】
図１及び図２に示されるように、レバー２２の他方の端部には、嵌合軸２３が取り付けられている。この嵌合軸２３は、長尺状の略板状体とされた係合部材としてのキー１２の長孔１２Ｃに嵌合されている。長孔１２Ｃは、キー１２の長尺方向略中央部に設けられており、キー１２の長尺方向と略直交する方向を長尺方向としている。このようにして、レバー２２の他方の端部がキー１２に連結されている。
【００３２】
キー１２はケース部材６０を貫通しており、キー１２の長尺方向両端部が露出している。キー１２の長尺方向一方の端部には、その長尺方向に沿って切欠き１２Ａが形成されている。この切欠き１２Ａの形状は、住宅用のドアに取り付けられた施錠装置のサムターン３０の摘み部３２の形状と対応している。切欠き１２Ａは、上記ドアへのケース部材６０の取付位置を調整して、この摘み部３２に係合可能に配置されている。キー１２は、レバー２２の揺動によりサムターン３０側及びサムターン３０側とは反対側に移動（すなわち、キー１２の長尺方向に沿って移動）する。すなわち、モータ１４が駆動すると、ウォームギヤ１６、ウォームホイール１７、ギヤ１８、及びスパーギヤ２０がモータの出力軸の回転に伴って回転し、さらに、レバー２２が揺動して、嵌合軸２３が長孔１２Ｃのサムターン３０側、あるいは、サムターン３０側とは反対側の部位を押圧し、キー１２がその長尺方向に沿って移動する構成である。これにより、キー１２の切欠き１２Ａがサムターン３０の摘み部３２に係合する、あるいは、キー１２の切欠き１２Ａがサムターン３０の摘み部３２から離れてキー１２の切欠き１２Ａとサムターン３０の摘み部３２との係合状態が解除される。キー１２の切欠き１２Ａがサムターン３０の摘み部３２に係合した状態では、キー１２は、このサムターン３０の回転を阻止し、上記係合状態が解除された状態では、サムターン３０を回転可能な状態にする。
【００３３】
またさらに、このキー１２には、長尺方向において、上記切欠き部１２Ａが設けられた端部とは反対側の端部に手動操作摘み１２Ｂが設けられている。手動操作摘み部１２Ｂは、キー１２を上記手動操作で移動させる場合に、キー１２を把持するためのものとされている。ここで、上述したようにウォームギヤ１６とウォームホイール１７との関係は、ウォーム減速部分でセルフロックしないような関係になっている。このため、モータ１４が駆動していない場合であっても、ウォームギヤ１６、ウォームホイール１７、ギヤ１８、及びスパーギヤ２０は回転可能であり、またさらに、レバー２２も揺動可能である。従って、モータ１４が駆動していない場合であっても、手動操作摘み部１２Ｂを把持し、キー１２の長尺方向に沿って手動操作摘み部１２Ｂの位置を変更することで、キー１２の位置を変更できる構成とされている。このように、駆動部２４は、キー１２の手動操作を妨げることがない構成とされている。
【００３４】
また、キー１２の長尺方向略中央部では、この長尺方向と直交する幅方向上端部（矢印Ｘ2方向の端部）に凸部１２Ｄが形成されている。凸部１２Ｄは、凸部１２Ｄの近傍に配置されたリミットスイッチ６２、６４をオンするためのものとされている。これらのリミットスイッチ６２、６４は、ケース部材６０の内部でキー１２の長尺方向に沿ってキー１２の上方に配置されている。リミットスイッチ６２は、キー１２の長尺方向においてケース部材６０の中央よりも右側（サムターン３０側）に配置されており、一方、リミットスイッチ６４は、上記長尺方向において上記中央よりも左側（リミットスイッチ６２に対してサムターン３０側とは反対側）に配置されている。すなわち、キー１２の切欠き１２Ａがサムターン３０の摘み部３２に係合した状態（図２を参照。）では、凸部１２Ｄがリミットスイッチ６２のスイッチを押圧してリミットスイッチ６２をオンにし、これに対して、キー１２の切欠き１２Ａとサムターン３０の摘み部３２との係合状態が解除された状態（図１を参照。）では、凸部１２Ｄがリミットスイッチ６４のスイッチを押圧してリミットスイッチ６４をオンにする。これらのリミットスイッチ６２、６４では、スイッチがオンにされると、スイッチオン信号を出力する。
【００３５】
また、ケース部材６０の内部には、指示手段を構成するモータドライバ３６及び受信センサ３４がさらに収容されている。
【００３６】
受信センサ３４は、電波受信機として機能し、指示手段を構成する電波送信機としての鍵４０のボタン４４を押圧することで鍵４０から送信された電波を受信する。鍵４０の本体部４２の内部には、上記電波を発信する発信機が備えられており、ボタン４４を押圧することでこの発信機が作動し、電波を送信する。受信センサ３４は、上記電波を受信すると、電波を受信したことを示す電波検出信号を出力する。この受信センサ３４には、モータドライバ３６が接続されており、モータドライバ３６が受信センサ３４から出力された電波検出信号を入力すると、モータ１４に駆動指示を与える。すなわち、受信センサ３４が鍵４０から送信された電波を受信すると、この受信した電波に基づいてモータドライバ３６がモータ１４に駆動指示を与える。
【００３７】
モータドライバ３６は、受信センサ３４から出力された電波検出信号を入力すると、乾電池３８から上述のモータ１４に電力を供給する。また、モータドライバ３６は、上述のリミットスイッチ６２、６４に接続されており、モータ１４に電力供給している際にリミットスイッチ６２、あるいは、リミットスイッチ６４からスイッチオン信号を入力すると、乾電池３８からモータ１４への電力供給を停止する。すなわち、鍵４０から送信された電波を受信センサ３４が検出するとモータ１４が駆動し、キー１２の凸部１２Ｄがリミットスイッチ６２、６４のスイッチを押圧するとモータ１４が駆動停止する構成とされている。ここで、モータドライバ３６では、受信センサ３４から出力された電波検出信号を入力する毎に、モータ１４の正転と逆転とを切り替えるものとされている。
【００３８】
以上説明したような受信センサ３４、モータドライバ３６、及び乾電池３８は、ケース部材６０の内部に収容されている。このケース部材６０は、少なくともサムターン３０が取り付けられたドア側の部位が金属からなっており、サムターン３０の側部に配置されている。
【００３９】
なお、上述したサムターン３０を有する施錠装置は、上記ドアの屋内（室内）側に取り付けられている。
【００４０】
以下に、本発明の第１の実施の形態に係るサムターン固定装置１０の作用について説明する。
【００４１】
サムターン固定装置１０は、住宅用のドアに取り付けられた施錠装置のサムターン３０に適用される。
【００４２】
ドアを施錠する際には、サムターン固定装置１０では、鍵４０のボタン４４が押圧されると、鍵４０から電波が送信される（図１を参照。）。この電波を受信センサ３４が受信すると、受信センサ３４からモータドライバ３６に電波検出信号が出力される。モータドライバ３６が電波検出信号を入力すると、電動操作に対応する駆動指示がモータ１４に与えられ、モータ１４が正転する。この結果、モータ１４の駆動力がウォームギヤ１６、ウォームホイール１７、ギヤ１８、スパーギヤ２０、扇状スプリング４６、及びレバー２２を介してキー１２に伝わる。次いで、キー１２がサムターン３０側に移動して凸部１２Ｄがリミットスイッチ６２のスイッチを押圧すると、リミットスイッチ６２からはスイッチオン信号が出力される。スイッチオン信号をモータドライバ３６が入力すると、モータドライバ３６は、乾電池３８からモータ１４への電力供給を停止し、モータ１４の駆動が停止される（図２を参照。）。このように、電動操作でキー１２がサムターン３０側に移動してキー１２の切欠き１２Ａがサムターン３０の摘み部３２に係合し、サムターン３０の回転が阻止される。
【００４３】
キー１２の切欠き１２Ａがサムターン３０の摘み部３２に係合した状態では、例えば、ドアに孔が空けられこの孔に屋外（室外）側から治具を挿入してサムターン３０を回転させようとしても、サムターン３０を回転させることができない。また、キー１２の切欠き１２Ａがサムターン３０の摘み部３２に係合した状態では、例えば、上記施錠装置の鍵穴に治具を挿入して、サムターン３０を回転させようとしても、サムターン３０を回転させることができない。従って、施錠されているドアが不正に解錠されることを防止できる。
【００４４】
一方、ドアを解錠する際には、ドアを施錠する際と同様に鍵４０のボタン４４が押圧されると、鍵４０から電波が送信される（図２を参照。）。この電波を受信センサ３４が受信し、受信センサ３４から出力された電波検出信号がモータドライバ３６に入力されると、モータドライバ３６により電動操作に対応する駆動指示がモータ１４に与えられ、モータ１４が逆転する。この結果、モータ１４の駆動力がウォームギヤ１６、ウォームホイール１７、ギヤ１８、スパーギヤ２０、扇状スプリング４６、及びレバー２２を介してキー１２に伝わる。次いで、キー１２がサムターン３０側とは反対側に移動して凸部１２Ｄがリミットスイッチ６４のスイッチを押圧すると、リミットスイッチ６４からはスイッチオン信号が出力される。スイッチオン信号をモータドライバ３６が入力すると、モータドライバ３６は、乾電池３８からモータ１４への電力供給を停止し、モータ１４の駆動が停止される（図１を参照。）。このように、電動操作でキー１２がサムターン３０側とは反対側に移動してキー１２の切欠き１２Ａとサムターン３０の摘み部３２との係合状態が解除され、サムターン３０は回転可能な状態となる。
【００４５】
また、このようなサムターン固定装置１０では、モータ１４の駆動力に起因して、例えば、キー１２をサムターン３０側に移動させる場合、図５に示された状態からスパーギヤ２０の駆動軸２０Ａが右回り（図５の矢印Ａ方向）へ回転すると、駆動軸２０Ａと扇状スプリング４６のコイル部４６Ｃとの間の摩擦によって扇状スプリング４６が駆動軸２０Ａと同方向に回転する。この状態から扇状スプリング４６が所定角度回転すると、図６に示されるように、扇状スプリング４６の端部４６Ａがレバー２２のスプリング接触部５２Ａに当接し、端部４６Ａがスプリング接触部５２Ａを押圧するため、駆動軸２０Ａの回転力が扇状スプリング４６の端部４６Ａからレバー２２に伝達され、レバー２２が右回り（図６の矢印Ａ方向）へ回転してレバー２２が右斜め上方へ傾斜する。
【００４６】
この状態から駆動軸２０Ａがさらに所定角度回転すると、図７に示されるように、扇状スプリング４６の端部４６Ｂがストッパ５４に当接し、ストッパ５４からの反力を受けることによりコイル部４６Ｃが拡径される。この結果、これまでコイル部４６Ｃが駆動軸２０Ａを締め付けていた力が弱まる。これによって、駆動軸２０Ａとコイル部４６Ｃとの間の摩擦の一部若しくは全てが解除されてレバー２２の揺動が停止され、モータ１４の回転が停止するまで扇状スプリング４６は駆動軸２０Ａに対して相対回転（空回り）して、駆動軸２０Ａの回転力を扇状スプリング４６の端部４６Ａからレバー２２に伝達することが阻止される。
【００４７】
一方、サムターン３０の回転を阻止する状態を解除する場合、すなわち、キー１２をサムターン３０側とは反対側に移動させる場合、図７の状態で駆動軸２０Ａの回転（逆転）によってストッパ５４からの反力が解除され、扇状スプリング４６のバネ力によってコイル部４６Ｃが縮径され、図５の状態の場合と同様に駆動軸２０Ａと扇状スプリング４６のコイル部４６Ｃとの間の摩擦によって扇状スプリング４６が駆動軸２０Ａと同方向に回転する。
【００４８】
この状態から、図８に示されるように、扇状スプリング４６の端部４６Ｂがレバー２２のスプリング接触部５２Ｂに当接すると、端部４６Ｂがスプリング接触部５２Ｂを押圧するため、駆動軸２０Ａの回転力が扇状スプリング４６の端部４６Ｂからレバー２２に伝達され、レバー２２が左回り（図８の矢印Ｂ方向）へ回転してレバー２２が左斜め上方へ傾斜する。
【００４９】
この状態から、駆動軸２０Ａがさらに所定角度回転すると、図９に示されるように、扇状スプリング４６の端部４６Ａがストッパ５４に当接し、ストッパ５４からの反力を受けることによりコイル部４６Ｃが拡径される。この結果、これまでコイル部４６Ｃが駆動軸２０Ａを締め付けていた力が弱まり、駆動軸２０Ａとコイル部４６Ｃとの間の摩擦の一部若しくは全てが解除されてレバー２２の揺動が停止され、レバー２２が左斜め上方へ向けて傾斜した状態で停止され、モータ１４の回転が停止するまで扇状スプリング４６は駆動軸２０Ａに対して相対回転（空回り）して、駆動軸２０Ａの回転力を扇状スプリング４６の端部４６Ｂからレバー２２に伝達することが阻止される。
【００５０】
以上説明したように、駆動軸２０Ａから扇状スプリング４６への回転力の伝達は摩擦によって行われており、所定角度揺動した後にレバー２２が停止してもレバー２２への回転力の伝達が阻止されるだけでモータ１４を停止させない限り駆動軸２０Ａは回転し続けるため、揺動後にレバー２２が停止することによるモータ１４、ウォームギヤ１６、ウォームホイール１７、ギヤ１８、及びスパーギヤ２０への過負荷が生じることはなく、装置の耐久性を向上させることができる。さらに、扇状スプリング４６は捩じりコイルスプリングであるため、レバー２２が停止する際に生ずる衝撃、すなわち、扇状スプリング４６がストッパ５４に当接する際の衝撃は扇状スプリング４６の弾性に吸収される。従って、この意味でも装置の耐久性を向上できる。また、このように装置の耐久性を向上できるので、キー１２の移動速度を速く設定することができる。
【００５１】
このようなサムターン固定装置１０では、上述したように、モータ１４に駆動指示を与える際には、鍵４０のボタン４４を押圧するだけでよいため、ドアから離れた場所（例えば、室外）からサムターン固定装置１０を操作することができる。
【００５２】
またここで、サムターン固定装置１０の駆動部２４では、ウォームギヤ１６とウォームホイール１７との進み角が大きく設定されている。このため、ウォームギヤ１６とウォームホイール１７とでは、ウォーム減速部分でセルフロックすることがない。この結果、モータ１４が駆動していない場合であっても、ウォームギヤ１６、ウォームホイール１７、ギヤ１８、及びスパーギヤ２０が回転でき、またさらに、レバー２２が揺動できるので、キー１２の手動操作を妨げることがない。従って、手動操作でレバー１２の切欠き１２Ａをサムターン３０の摘み部３２に係合させることができ、施錠されているドアが不正に解錠されることを防止できる。また、電動操作のみならず手動操作によってサムターン３０の回転を阻止できるため、室内側においてはキー１２を直接に操作することが可能であり、装置の操作が煩雑にならずに済む。
【００５３】
さらに、このようなサムターン固定装置１０では、例えば、ドアのサムターン３０の側部に孔が空けられ、この孔に治具を挿入して上記サムターン３０を回転させようとする場合に、ケース部材６０が孔を空ける際の障害となる。この結果、上記不正解錠に対する防犯効果をより一層高めることができる。
【００５４】
また、少なくともケース部材６０のドア側の部位が金属からなるので、ドアのサムターン３０の側部に孔を空けて治具を挿入して上記サムターン３０を回転させようとする場合に、少なくともケース部材６０のドア側の部位が孔を空ける際の障害となる。この結果、上記不正解錠に対する防犯効果を極めてより一層高めることができる。
【００５５】
またさらに、既存の施錠装置を何ら改造、改良することなくサムターン固定装置１０を適用できる。この結果、上記不正解錠による犯罪を防止するために要する費用は、新たな施錠装置そのものを新規購入するために要する費用よりも安価となる。
【００５６】
なお、上述した本発明の第１の実施の形態では、リミットスイッチ６２、６４から出力されたスイッチオン信号に基づいてモータ１４の駆動を停止するものとしたが、本発明はこれに限らない。本発明は、リミットスイッチ６２、６４を設ける代わりにタイマーを設け、このタイマーにモータ１４の駆動時間を計測させ、所定時間後にモータ１４の駆動を停止させるようにしてもよい。このようにしても、本実施の形態と同様の効果を得ることができる。
【００５７】
以上説明したように、本発明の第１の実施の形態に係るサムターン固定装置１０は、施錠されているドアが不正に解錠されることを防止できる。
（第２の実施の形態）
以下に、本発明の第２の実施の形態について説明する。
【００５８】
図１０及び図１１に示されるように、本発明の第２の実施の形態に係る不正解錠防止装置としてのサムターン固定装置７０は、上述した本発明の第１の実施の形態に係るサムターン固定装置１０から鍵４０及び受信センサ３４を取り除いてドアの施錠及び解錠を行うためのボタン入力部７２を備えた電動ロック式の施錠装置に組み込み、ボタン入力部７２に入力された指示に関連付けてキー１２を移動させるように変形したものである。以下にその構成を説明する。なお、上述した本発明の第１の実施の形態と同一構成、同一作用、及び同一効果の箇所には、同一符号を付してその説明を省略する。
【００５９】
ボタン入力部７２には、制御回路７４が接続されており、ボタン入力部７２からの信号に基づいて後述する処理を行う。
【００６０】
また、制御回路７４には、サムターン回転手段７６が接続されている。サムターン回転手段７６は、モータ、ギヤ等を含んでおり、制御回路７４からの信号に基づいて、サムターン３０を回転させる。
【００６１】
またさらに、制御回路７４は、サムターン固定装置７０のモータドライバ３６に接続されている。制御回路７４は、サムターン回転手段７６に信号を伝送して所定時間経過した後に、モータドライバ３６に信号を伝送する。制御回路７４がモータドライバ３６に伝送する信号は、上述した第１の実施の形態における受信センサ３４がモータドライバ３６に伝送する電波検出信号に相当し、モータドライバ３６は、制御回路７４から信号を入力すると、モータ１４に駆動指示を与える。
【００６２】
このようなサムターン固定装置７０では、上記ドアを施錠する際には、ボタン入力部７２のボタンの操作による施錠指示が行われると、サムターン３０が回転し、上記ドアを施錠し、次いで、サムターン固定装置７０のキー１２がサムターン３０側に移動して、このキー１２の切欠き１２Ａとサムターン３０の摘み部３２が係合する。また、上記ドアを解錠する際には、ボタン入力部７２のボタンの操作による解錠指示が行われると、サムターン固定装置７０のキー１２がサムターン３０側とは反対側に移動して、サムターン３０を回転可能な状態にした後、サムターン３０が回転し、上記ドアを解錠する。
【００６３】
以下に、本発明の第２の実施の形態に係るサムターン固定装置７０の作用について説明する。
【００６４】
ドアを施錠する際には、ボタン入力部７２のボタンを操作して施錠指示が行われると、ボタン入力部７２から制御回路７４に信号が伝送される（図１０を参照。）。
【００６５】
この制御回路７４は、サムターン回転手段７６に信号を伝送してサムターン回転手段７６を駆動させる。この結果、サムターン３０が回転してドアが施錠される。
【００６６】
次いで、制御回路７４は、モータドライバ３６に信号を伝送する。モータドライバ３６は、制御回路７４から入力した信号に基づいて、上述した本発明の第１の実施の形態で説明したようにモータ１４を駆動させる。すなわち、キー１２は、サムターン３０側に移動し、キー１２の切欠き１２Ａをサムターン３０の摘み部３２に係合させる（図１１を参照。）。この結果、例えば、ドアに孔が空けられこの孔に屋外側から治具を挿入してサムターン３０を回転させようとしても、サムターン３０が回転することがない。また、キー１２の切欠き１２Ａがサムターン３０の摘み部３２に係合した状態では、例えば、上記施錠装置の鍵穴に治具を挿入して、サムターン３０を回転させようとしても、サムターン３０を回転させることができない。従って、施錠されているドアが不正に解錠されることを防止できる。
【００６７】
一方、ドアを解錠する際には、ボタン入力部７２のボタンを操作して解錠指示が行われると、ボタン入力部７２から制御回路７４に信号が伝送される（図１１を参照。）。
【００６８】
次いで、この制御回路７４は、モータドライバ３６に信号を伝送する。モータドライバ３６は、上述した本発明の第１の実施の形態で説明したように、制御回路７４から入力した信号に基づいて、モータ１４を駆動させる。すなわち、キー１２は、サムターン３０側とは反対側に移動し、キー１２の切欠き１２Ａとサムターン３０の摘み部３２との係合状態を解除し、サムターン３０を回転可能な状態にする（図１０を参照。）。
【００６９】
次いで、制御回路７４は、サムターン回転手段７６に信号を伝送してサムターン回転手段７６を駆動させる。この結果、サムターン３０が回転してドアが解錠される。これにより、上記ドアの開閉が可能となる。
【００７０】
このように、駆動指示がボタン入力部７２に入力された指示に関連付けられるので、操作者は、ボタン入力部７２で施錠装置の施錠指示及び解錠指示を行うだけで、キー１２の切欠き１２Ａをサムターン３０の摘み部３２に係合させたり、キー１２の切欠き１２Ａとサムターン３０の摘み部３２との係合状態を解除することができる。
【００７１】
なお、上述した本発明の第２の実施の形態では、リミットスイッチ６２、６４から出力されたスイッチオン信号に基づいてモータ１４の駆動を停止するものとしたが、本発明はこれに限らない。本発明は、リミットスイッチ６２、６４を設ける代わりにタイマーを設け、このタイマーにモータ１４の駆動時間を計測させ、所定時間後にモータ１４の駆動を停止させるようにしてもよい。このようにしても、本実施の形態と同様の効果を得ることができる。
【００７２】
以上説明したように、本発明の第２の実施の形態に係るサムターン固定装置７０は、施錠されているドアが不正に解錠されることを防止できる。
【図面の簡単な説明】
【００７３】
【図１】本発明の第１の実施の形態に係るサムターン固定装置の概略図であり、キーの切欠きがサムターンの摘み部に係合していない状態を示す図である。
【図２】本発明の第１の実施の形態に係るサムターン固定装置の概略図であり、キーの切欠きがサムターンの摘み部に係合した状態を示す図である。
【図３】本発明の第１及び第２の実施の形態に係る駆動部の裏面図である。
【図４】本発明の第１及び第２の実施の形態に係るサムターン固定装置の扇状スプリング（捩じりコイルスプリング）近傍部分を拡大した図５の４−４線に沿った断面図である。
【図５】装置作動前の状態での扇状スプリング（捩じりコイルスプリング）とレバーとストッパの位置関係を示す扇状スプリング近傍部分の拡大図である。
【図６】扇状スプリング（捩じりコイルスプリング）とレバーとが接触した状態を示す図５に対応した拡大図である。
【図７】扇状スプリング（捩じりコイルスプリング）とストッパとが接触した状態を示す図５に対応した拡大図である。
【図８】扇状スプリング（捩じりコイルスプリング）とレバーとが接触した状態を示す図５に対応した拡大図である。
【図９】扇状スプリング（捩じりコイルスプリング）とストッパとが接触した状態を示す図５に対応した拡大図である。
【図１０】本発明の第２の実施の形態に係るサムターン固定装置の概略図であり、キーの切欠きがサムターンの摘み部に係合していない状態を示す図である。
【図１１】本発明の第２の実施の形態に係るサムターン固定装置の概略図であり、キーの切欠きがサムターンの摘み部に係合した状態を示す図である。
【符号の説明】
【００７４】
１０・・サムターン固定装置（不正解錠防止装置）、１２・・キー（係合部材）、１４・・モータ、１６・・ウォームギヤ、１７・・ウォームホイール、１８・・ギヤ、２０・・スパーギヤ（駆動軸）、２２・・レバー（揺動アーム）、２４・・駆動部（駆動手段）、３０・・サムターン、３２・・摘み部、３４・・受信センサ（電波受信機）、４０・・鍵（電波送信機）、６０・・ケース部材、７０・・サムターン固定装置（不正解錠防止装置）、７２・・ボタン入力部
【図１】
2005036599.tif 000003
【図２】
2005036599.tif 000004
【図３】
2005036599.tif 000005
【図４】
2005036599.tif 000006
【図５】
2005036599.tif 000007
【図６】
2005036599.tif 000008
【図７】
2005036599.tif 000009
【図８】
2005036599.tif 000010
【図９】
2005036599.tif 000011
【図１０】
2005036599.tif 000012
【図１１】
2005036599.tif 000013